(57)【要約】【課題】  合成樹脂を原材料としつつも、製品の全体質量を調整することで、製品の軽さに起因する粗末な印象を緩和ないし解消することができる、合成樹脂製品を提供すること。【解決手段】  合成樹脂から成る本体部分を備えた合成樹脂製品であって、当該合成樹脂製品には、少なくとも一部に、当該合成樹脂製品の全体質量を増加させる質量調整部材を設けたことを特徴とする、合成樹脂製品を提供する。【選択図】図１
2015043944.tif 000002
【特許請求の範囲】
【請求項１】
合成樹脂から成る本体部分を備えた合成樹脂製品であって、
当該合成樹脂製品には、少なくとも一部に、当該合成樹脂製品の全体質量を増加させる質量調整部材を設けたことを特徴とする、合成樹脂製品。
【請求項２】
前記質量調整部材は、前記本体部分に内挿されており、
当該合成樹脂製品は、少なくとも手に持って使用される為の把持部を備えたことを特徴とする、請求項１に記載の合成樹脂製品。
【請求項３】
前記合成樹脂製品の底面には、平面に載せ置く為の載置部が形成されており、
前記質量調整部材は、載置される合成樹脂製品における高さ方向の下方寄りに設けられている事を特徴とする、請求項１に記載の合成樹脂製品。
【請求項４】
前記合成樹脂製品が食器であって、
前記質量調整部材は、１００ｇ〜５００ｇであって、当該食器の高台に内挿されている、請求項１〜３の何れか一項に記載の合成樹脂製品。
【請求項５】
前記合成樹脂製品の表面の少なくとも一部に、質感を向上させる為の表面加工が施されるか、又は質感を向上させる為のフィルムが貼付されている事を特徴とする、請求項１〜４の何れか一項に記載の合成樹脂製品。
【発明の詳細な説明】
【技術分野】
【０００１】
本発明は、プラスチック等の合成樹脂を原材料とする合成樹脂製品に関し、特に製品の全体質量を調整することで一定のデメリットを解消した合成樹脂製品に関する。
【背景技術】
【０００２】
合成樹脂は、製品の特質や用途等に合わせた様々な物性を有するものを合成することが可能であり、その利便性の高さから様々な製品の原材料として幅広く利用されている。かかる合成樹脂を用いる利点としては、例えば、成形が容易であり製造工程が少なくて済む事、着色が容易に行える事、金属材料に比べて比重が小さい為に軽量で強い製品を作ることができる事等を挙げることができ、かかる利点から、合成樹脂は生活用品や雑貨等に代表される数多くの製品の原材料に用いられている。
【０００３】
但し、このような合成樹脂の優れた特性は、ある面ではメリットとなるが、他の面ではデメリットとなる場合もあった。例えば、特許文献１（特開２０００−２４１５２号公報）においては、多くのゴルファには軽量シャフトは好ましく迎えられるものであるが、所謂上級者においては逆に軽すぎて使用勝手が良くないという評価を得ることもあった（段落番号〔０００３〕欄）との問題提起がなされている。
【０００４】
そこで、この特許文献１（特開２０００−２４１５２号公報）においては、かかる問題を解決しようとする発明として、ゴルフクラブ用シャフト及びその製造方法に関するもので、特にその重量を調整したものに関するものとして、繊維強化樹脂製の管状体からなるゴルフクラブ用シャフトにおいて、管状体内に樹脂製の重量調整材が設けられているゴルフクラブ用シャフト及びその製造方法が開示されている。
【先行技術文献】
【特許文献】
【０００５】
【特許文献１】特開２０００−２４１５２号公報
【発明の概要】
【発明が解決しようとする課題】
【０００６】
合成樹脂の有する特性の一つに、金属やガラス等のような、製品の原材料として一般的に利用されている他の素材と比べて比重が軽いことがある。かかる特性は、軽量であることが望ましい製品においてはメリットとなるが、場合によっては製品に対して「安っぽい」、「みすぼらしい」、「貧相」等のような、その軽さに起因する悪印象（以下、単に「粗末な印象」と言う）を与える場合もあった。
【０００７】
この点、合成樹脂以外の原材料で製品を製造してかかる問題の解決を図ることも考えられるが、前述のように合成樹脂には多様な特性があり、比重が軽いという一点のデメリットのみをもって利用しないとすると、他のメリットとなる特性をも享受できなくなる為、望ましい解決策ではない。この為、合成樹脂の他のメリットを活かしつつも、製品が与える粗末な印象を緩和ないし解消する事はできないか問題となった。
【０００８】
ところで、特許文献１においても製品の重量を調整することで一定の課題を解決しようとする発明が提案されているが、これは、従来のスチール製シャフト並の重量としつつも、曲げ剛性や捩じり剛性が高くなり過ぎることがなく、良好な使用勝手、打感を発揮し、上級者にも好適なものである（段落番号〔００１７〕欄）との効果があるに過ぎず、またそのために重量を調整した発明である。つまり、本発明とは質的に異なる技術思想であり、またその構成・効果の何れの点においても製品に対する粗末な印象を緩和ないし解消し得るものではなかった。
【０００９】
本発明は以上の問題に鑑みてなされたものであり、合成樹脂を原材料としつつも、製品の全体質量を調整することで、製品の軽さに起因する粗末な印象を緩和ないし解消することができる、合成樹脂製品を提供することを課題とする。
【課題を解決するための手段】
【００１０】
即ち、本発明は前記課題を解決するべく、合成樹脂から成る本体部分を備えた合成樹脂製品であって、当該合成樹脂製品には、少なくとも一部に、当該合成樹脂製品の全体質量を増加させる質量調整部材を設けたことを特徴とする、合成樹脂製品を提供する。
【００１１】
前記合成樹脂は、熱可塑性樹脂や熱硬化性樹脂等の各種の合成樹脂のうちから、製品に求められる条件、製造コスト等の諸般の事情に応じて適宜選択することができる。ガラス繊維強化プラスチックや木合樹脂など、他の素材と合成樹脂が混合されて成るものを用いることも差し支えない。例えば、食器において実施する場合には、メラミン樹脂、ＡＢＳ樹脂、ポリオレフィン樹脂等を用いることができる。
【００１２】
前記合成樹脂製品は、カップや皿等の食器類、万年筆やシャープペンシル等の文房具類その他合成樹脂を原材料として利用することのできる製品であって、特に手に持って使用される製品とすることができる。したがって、本発明を具体化する当該合成樹脂製品は、手に持つための把持部を備える事が望ましい。かかる把持部は、取っ手として突出するものである他、皿の縁部分、茶碗の側面、箸の一部、筆記具の一部を把持部とすることができる。但し、本発明は合成樹脂製品の軽さに起因する粗末な印象を緩和ないし解消させるものである為、合成樹脂以外の原材料で製造された、価値比較の基準となり得る同種の製品が存在するものが望ましい。これは、ある製品が粗末であるとの印象が、他の製品との比較の中において特に形成されやすい為である。また、本発明にかかる合成樹脂製品は、少なくとも一部に前記質量調整部材を設けるものである為、前記質量調整部材を設けやすい形状の合成樹脂製品が望ましい。例えば、皿や茶碗或いはカップ等の高台を備える合成樹脂製品であれば、かかる高台を中空状に形成して前記質量調整部材を内挿することができるので、比較的簡単に実施できる。また、当該質量調整部材を製品を形成する樹脂内に埋め込んで形成すれば、外部に当該質量調整部材が露出することは無くなり、安価な印象を無くすことができる。
【００１３】
前記質量調整部材は、合成樹脂製品を手に持った時に、軽いことに起因する安価な印象を払拭させるためのものであり、よって主として当該合成樹脂製品の質量を増加させるための機能を有する。かかる質量調整部材は、本体部分の本来の機能とは関係なく質量を調整するための部材として別途設けた重り部材とする他、本体部分の一部を重い素材で形成した質量調整部分とすることもできる。質量調整部材が重り部材である場合、これを設ける位置や構造は、例えば、前記本体部分の一部又は全部を中空状に形成して内挿したり、前記合成樹脂製品の外面又は内面部分に付着するように設ける等、前記合成樹脂製品の種類や構造その他の諸般の事情に応じて適宜決定することができる。但し、前記本体部分の一部を中空状に形成すると製品の強度が低下するおそれがある為、前記質量調整部材として強度の高い金属製の重り部材を内挿する等、製品の強度低下を防ぐ配慮をすることが望ましい。また、前記前記質量調整部材を本体部分の一部又は全部を中空状に形成して内挿した場合、および合成樹脂製品の外面又は内面部分に前記質量調整部を添接させて設ける場合には、例えば、前記合成樹脂製品を平面に載置する為の載置部を設け、当該載置される前記合成樹脂製品の高さの下方寄りに質量調整部材を設けることができる。載置して利用されることが想定される製品においては、製品の高さの下方寄りに前記質量調整部材を設けて製品の重心を低くすることで、載置時の製品の安定性を高め、製品が転倒するおそれを低減させることができる。かかる場合には、後述のように前記質量調整部材の形状によっては、前記質量調整部材を載置した際の安定性を更に高めることができる。
【００１４】
また、前記本体部分の一部を、合成樹脂製品全体の質量を増加させる目的で重く形成し、前記質量調整部材として構成する事も差し支えない。例えば、箸の一部を質量調整部分として、当該質量調整部分を箸の本体部分を構成する合成樹脂よりも比重の重い合成樹脂で構成することができる。かかる場合には、前記質量調整部材と箸の本体部分とが連続的に設けられている為、あたかも単一の原材料により製造されたかのような外観とすることができるので、外観上の違和感を緩和ないし解消することができる。かかる構成は、箸やペン等の構造が比較的単純な為に、重り部材等の前記質量調整部材を自然な形で備えにくい合成樹脂製品において特に有効である。なお、箸の内部に金属製の質量調整部材を内挿しても差し支えない。
【００１５】
前記質量調整部材は、前記本体部分を構成する原材料よりも比重の重い原材料で構成することができ、前記本体部分を構成する原材料、製品の種類や特性、調整する全体質量等の諸般の事情に応じて、本体部分に着接或いは内挿される重り部材、本体部分の一部その他の部材として適宜構成することができる。但し、当該質量調整部材は、金属等を使用することが望ましい。より少ない量で十分な質量の増加を果たすためである。
【００１６】
前記重り部材は、前記本体部分を構成する原材料よりも比重の重い金属、セラミックスなどの無機材料、或いは合成樹脂等の原材料により形成する事ができる。例えば、本体部分をＡＢＳ樹脂（比重：１．０５ｇ／立方センチメートル）で形成した場合には、前記重り部材はアクリル樹脂（比重：１．１９ｇ／立方センチメートル）や鉄（比重：７．８５ｇ／立方センチメートル）等により形成することができる。前記質量調整部材による質量の増加を果たす為に、重り部材は、合成樹脂に金属粉を混合して形成したり、合金を用いることも差し支えない。但し、本発明を食器において実施する場合のように、原材料のもたらす人体への影響を考慮することが特に望ましい場合には、金属でも人体に対して悪影響を与えないものを選択して使用するのが望ましい。かかる金属としては、例えばステンレス、銅、真鍮を挙げることができる。もっとも、摂取許容量や前記質量調整部材の設置部位等により人体に対する影響がないと考えられる場合にはこの限りでない。また、金属以外にも、石膏やセラミックス等の無機材料を使用して質量調整部材を形成することもできる。
【００１７】
また、前記質量調整部材は、その形状、色彩、模様によっては、製品のデザイン性を向上させることもできる。例えば、前記質量調整部材として星形に形成した重り部材を使用し、かかる重り部材を本体部分の外周側面に露出するように設けることで、重り部材としての質量調整機能と同時に装飾機能を果たすものとすることができ、製品のデザイン性を向上させることができる。
【００１８】
また、前記質量調整部材の形状によっては、製品をテーブルや床などに載置した際の安定性を高める機能も兼ねることができる。例えば、製品の底面に円錐台形に形成した重り部材を前記質量調整部材として着接することで、製品の安定性をより高めることができる。
【００１９】
本発明にかかる合成樹脂製品においては、前記質量調整部材の設置場所や重さ次第では、製品の部分的な質量変化により、製品全体の重心が変化して製品が転倒しやすくなる場合がある。そこで、当該質量調整部材を高さ方向の下方寄りに設置したり、或いは製品の載置部の平面積を広げる構成は、合成樹脂製品がコーヒーカップ等のように、製品の転倒が重大な結果を招くおそれがある場合に特に有効である。
【００２０】
前記質量調整部材により調整する全体質量は、製品の種類や原材料等の諸般の事情に応じて任意に決定することができるが、合成樹脂以外の原材料で製造された比較的高級感のある同種製品（例えばガラス製や陶磁器製の製品）と同程度になるように調整することが望ましい。これは、質量が不足していると、手に持った時に軽くなり安っぽい印象を与えてしまうおそれがあり、反対に質量が重すぎると、他の同種の製品との比較において違和感を与えるおそれがある為である。例えば、食器において実施する場合には、コーヒーカップやマグカップ等のカップであれば、調整後の全体質量は１５０ｇ〜４００ｇとすることが望ましく、特に１８０ｇ〜３５０ｇとすることが望ましい。また、皿や椀或いは鉢等の器であれば、調整後の全体質量は１００ｇ〜５００ｇとすることが望ましく、特には１３０ｇ〜４８０ｇとすることが望ましい。陶磁器製の同種製品の質量と同じようにすることにより、使用者が持った時の重さの感覚を陶磁器製の同種製品と同じくして安っぽさを解消しながらも、割れにくいという陶磁器製の同種製品には無い効果を享受することができる。
【００２１】
本発明にかかる合成樹脂製品は、製品の軽さに起因する安価な印象を緩和ないし解消するものであるが、かかる効果をより高める為に、前記合成樹脂製品の表面の少なくとも一部に質感を向上させる為の表面加工を施すことが望ましい。当該表面加工は、例えば、前記合成樹脂製品の表面に金等を溶射する鍍金加工によることができる。また、当該表面加工と共に、或いは当該表面加工に代えて、質感を向上させる為のフィルムを貼付することも差し支えない。これらの加工によれば、前記合成樹脂製品の表面の質感を高めて高級感を出すことができ、更に製品の粗末な印象を緩和ないし解消することができる。
【００２２】
本発明にかかる合成樹脂製品は、例えば、合成樹脂の射出形成等の一般的な手段により作成することができる。また、金属を原材料に用いた重り部材は、金型により形成する等の一般的な手段により作成することができる。
【発明の効果】
【００２３】
以上のように構成される本発明にかかる合成樹脂製品は、合成樹脂を原材料として利用しながらも、前記質量調整部材により製品の全体質量を調整することで、製品の軽さに伴う安価な印象を緩和ないし解消することができる。
【００２４】
本発明にかかる合成樹脂製品によれば、成形の容易性や安価である事など、合成樹脂の多様なメリットを活かしつつも、そのデメリットを緩和した合成樹脂製品を提供することができる。特に食器などにおいて実施した場合には、陶器製の食器に比べて割れにくく、熱が伝わりにくい等の合成樹脂を用いた事に由来する効果を奏しながらも、手に持った時の安価な印象を払拭して高級感を高めることができる。よって、かかる質量調整部材を用いた食器は、例えば大量の食器を使用する飲食店や宿泊施設などにおいて、有効に実施することができる。
【図面の簡単な説明】
【００２５】
【図１】第１の実施形態を示す、（Ａ）斜視図、（Ｂ）Ｂ−Ｂ断面図
【図２】第２の実施形態を示す、（Ａ）斜視図、（Ｂ）Ｂ−Ｂ断面図
【図３】第３の実施形態を示す、斜視図
【図４】第４の実施形態を示す、（Ａ）斜視図、（Ｂ）Ｂ−Ｂ断面図
【図５】第５の実施形態を示す、斜視図
【図６】第６の実施形態を示す、分解斜視図
【発明を実施するための形態】
【００２６】
以下、本実施の形態にかかる合成樹脂製品を、図面を参照しながら詳細に説明する。
図１は、第１の実施形態であるマグカップの構成を示す、（Ａ）斜視図、（Ｂ）Ｂ−Ｂ断面図である。図１（Ａ）において示すように、本実施の形態にかかるマグカップには、本体部分１１の側面から「Ｃ」字状に突出している手に持つための把持部を設け、また本体部分１１の下部に本実施の形態にかかるマグカップを平らな面に載せ置く為の載置部１２を設けた。載置部１２には、図１（Ｂ）において示すように、一部を中空状に形成した空間に質量調整部材である重り部材１３を内挿した。本体部分１１及び載置部１２はＡＢＳ樹脂（比重：１．０５ｇ／立方センチメートル）を利用して形成した。重り部材１３は本体部分１１及び載置部１２を構成するＡＢＳ樹脂より比重の重い、鉄（比重：７．８５ｇ／立方センチメートル）を用いて形成した。
【００２７】
一般的な陶磁器製のマグカップの質量は２２０ｇ〜３６０ｇ程度であり、２２０ｇを下回ると発明の効果が不十分となるおそれがあり、３６０ｇを上回ると重すぎることによる違和感を与えるおそれがある為、調整後の全体質量は２２０ｇ〜３６０ｇの範囲内とすることが望ましく、特に２４０ｇ〜３３０ｇとすることが望ましい。本実施の形態においては、本体部分１１を８０ｇ、載置部１２を２０ｇ、重り部材１３を２２０ｇとして形成し、製品の全体質量が３２０ｇとなるよう形成した。なお、本体部分の厚さ等を調整して全体の質量を上記の範囲内にすることも考えられなくはないが、軽量な合成樹脂で製造されていることから厚過ぎて不自然な形態となってしまう。そこで重り部材を使用することで、本体部分の形状を広く一般に馴染んだ形状としながらも、手に持った時に安価な印象を払拭することができる。
【００２８】
本実施の形態にかかるマグカップは、本体部分１１及び載置部１２を各々射出形成し、接着剤で接合して作成することができる。載置部１２は、重り部材１３を内挿するように射出形成して作成することができる。重り部材１３は原材料の鉄を金型に流しこみ成型することで作成することができる。また、載置部１２を本体部分１１と一体状に射出成型して、重り部材１３を内挿した後に、重り部材１３を収容する空間を塞いでも良い。
また、本実施の形態にかかるマグカップでは、重り部材１３をマグカップ本体部分１１の下面に設けている事から、当該マグカップの重心も低くなり、これをテーブルなどに置いたときの安定性を高めることができる。  
【００２９】
本実施の形態にかかるマグカップによれば、ＡＢＳ樹脂製でありながらも、陶磁器製のマグカップと同程度の質量であるので、製品の軽さに起因する製品の粗末な印象、或いは安価な印象を緩和ないし解消することができる。
【００３０】
図２は、第２の実施形態のマグカップを示す、（Ａ）斜視図、（Ｂ）Ｂ−Ｂ断面図である。図２（Ａ）及び図２（Ｂ）において示すように、本実施の形態にかかるマグカップは、本体部分２１の下部に質量調整部材として円錐台形に形成した重り部材２３を設けた。本体部分２１はＡＢＳ樹脂（比重：１．０５ｇ／立方センチメートル）を利用して形成しており、重り部材２３はＡＢＳ樹脂より比重の重い、アクリル樹脂（比重：１．１９ｇ／立方センチメートル）に微粒子化したタングステン（比重：１９．２５ｇ／立方センチメートル）を混合して形成している。
【００３１】
本実施の形態における調整後の全体質量は、第１の実施形態と同様に、一般的な陶磁器製のマグカップと同程度の質量となるように形成しており、具体的には、本体部分２１を８０ｇ、重り部材２３を１６０ｇとして形成し、製品の全体質量が２４０ｇとなるよう形成した。
【００３２】
本実施の形態にかかるマグカップは、本体部分２１及び重り部材２３を各々射出形成により製造し、両者を接着剤で接合したり、両者に設けた相補的に噛み合う形状部分を噛合したりすることで作成することができる。着色工程においては、本体部分２１及び重り部材２３を同色に着色し、外観上の違和感を与えないよう配慮しても良く、或いは意匠効果の観点から、両者の色を異ならせてもよい。
【００３３】
本実施の形態にかかるマグカップによれば、軽さに起因する製品の粗末な印象或いは安価な印象を緩和ないし解消するのみならず、円錐台形に形成された重り部材２３が平面に載せ置くための面積を増大させ、製品を載置した際の安定性を高めてマグカップの転倒を防ぐことができる。質量調整部材を設けることによる局部的な質量変化が、製品全体の重心を変化させて製品の安定感を損なう場合があり得るが、本実施の形態のように重り部材を円錐台形に形成したり、本体部分の高さ方向の下方寄りに重り部材を配置することで、製品をテーブルなどの平坦な面に載せ置いた際の安定性を高めて転倒する危険を低減させることができる。
【００３４】
図３は、第３の実施形態を示す外観斜視図である。図３において示すように、本実施の形態にかかるマグカップは、本体部分３１の外周側面に星形に形成した重り部材３３を設けた。本体部分３１はＡＢＳ樹脂（比重：１．０５ｇ／立方センチメートル）を利用して形成しており、重り部材３３はＡＢＳ樹脂より比重の重い、アクリル樹脂（比重：１．１９ｇ／立方センチメートル）に微粒子化したタングステン（比重：１９．２５ｇ／立方センチメートル）を混合して形成した。
【００３５】
本実施の形態における調整後の全体質量は、第１の実施形態及び第２の実施形態と同様に、一般的な陶磁器製と同程度の質量となるように形成しており、具体的には、本体部分２１を８０ｇ、複数個の重り部材３３を合計１６０ｇとして形成し、製品の総質量が２４０ｇとなるよう形成した。
【００３６】
本実施の形態にかかるマグカップは、本体部分３１及び重り部材３３を各々射出形成により作成し、両者を接着剤で接合することで作製することができる。着色工程においては、重り部材３３を星のイメージを表す黄色に着色し、デザイン性を向上させた。なお、このように形成した重り部材３３は、本体部分の周壁面に、一部を埋め込むようにして設置することもできる。
【００３７】
本実施の形態にかかるマグカップによれば、軽さに起因する製品の粗末な印象を緩和ないし解消することができるのみならず、星形に形成された重り部材３３により製品のデザイン性を向上させることができ、製品に新たな付加価値を与えることができる。また、この重り部材を外周面に均等に配置することにより、全体の重さが偏ることなく、より安定性を高めることができ、同時に手に持った時の違和感を無くすことができる。
【００３８】
図４は、第４の実施形態を示す、（Ａ）斜視図、（Ｂ）Ｂ−Ｂ断面図である。本実施の形態にかかる平皿は、図４（Ａ）及び（Ｂ）に示すように、平皿の高台４２の内部に、２個の各々直径の異なる略輪状に形成した重り部材４３を内挿した。本体部分４１及び高台４２はポリプロピレン（比重：０．９１ｇ／立方センチメートル）により形成し、重り部材４３は鉄（比重：７．８５ｇ／立方センチメートル）により形成した。重り部材４３を平皿の形状に合わせて各々大きさの違う略輪状に形成して内挿することで、特定の部分のみが重くなるなどの質量の偏在を防ぎ、製品の安定性をより高めることができる。なお、図示しないが、本実施の形態にかかる平皿は、表面に金を溶射して鍍金加工を施してもよく、これにより高級感のある質感とすることができる。
【００３９】
一般的な陶磁器製の平皿の質量は３００ｇ〜５００ｇ程度であり、３００ｇを下回ると発明の効果が不十分となるおそれがあり、５００ｇを上回ると重すぎることによる違和感を与えるおそれがある為、調整後の質量は３００ｇ〜５００ｇの範囲内とすることが望ましく、特に３５０ｇ〜４５０ｇとすることが望ましい。本実施の形態においては、本体部分４１及び高台４２が１５０ｇ、重り部材４３を２８０ｇ（２本の合計）として形成しており、調整後の全体質量が４３０ｇとなるよう形成した。
【００４０】
本実施の形態にかかる平皿は、本体部分４１及び高台４２の射出形成時に重り部材４３を内挿する事により作成することができる。重り部材４３は原材料の鉄やステンレスなどの金属を用いて作成することができる。
【００４１】
本実施の形態にかかる平皿によれば、ポリプロピレン製でありながらも、陶磁器製の平皿と同程度の質量であるので、軽さに起因する製品の粗末又は安価な印象を緩和ないし解消することができる。また、表面に鍍金加工を施した場合には高級感のある質感とすることができる為、更に粗末な印象を緩和ないし解消することができる。なお、本実施の形態に関連し、平皿以外、例えば深さのある食器やボールなどの調理器具においても、本実施の形態に示した様に実施することができる。
【００４２】
図５は、第５の実施形態を示す斜視図である。本実施の形態にかかる箸は、ポリプロピレン（比重：０．９１ｇ／立方センチメートル）を射出成形して作成する際に、質量調整部分５３の部分に微粒子化したタングステン（比重：１９．２５ｇ／立方センチメートル）を混合して形成した。
【００４３】
一般的な木製の箸の質量は５〜１５ｇ程度であり、５ｇを下回ると発明の効果が不十分となるおそれがあり、１５ｇを上回ると重すぎることによる違和感を与えるおそれがある為、調整後の質量は５ｇ〜１５ｇの範囲内とすることが望ましく、特に７ｇ〜１２ｇとすることが望ましい。本実施の形態においては、本体部分を３ｇとして形成し、質量調整部５３を５ｇとして形成し、調整後の全体質量を８ｇとして形成した。
【００４４】
本実施の形態にかかる箸によれば、ポリプロピレン製でありながらも、木製の箸と同程度の質量であるので、製品の軽さに起因する粗末又は安価な印象を緩和ないし解消することができる。また、本体部分と質量調整部分５３が一体成形により連続的に作成されており、あたかも単一の原材料により製造されたかのような外観とすることができる為、外観上の違和感を緩和ないし解消することができる。更に、質量調整部分５３を２箇所に分けて設けることで、特定の部分に加重が集中して製品の一部のみが重くなる違和感を与えることを避けることができる。
【００４５】
図６は、第６の実施形態における、分解斜視図である。本実施の形態にかかる万年筆は、万年筆の軸の一部を質量調整部６３としてアクリル樹脂（比重：１．１９ｇ／立方センチメートル）に微粒子化したタングステン（比重：１９．２５ｇ／立方センチメートル）を混合して形成し、軸の他の部分は通常のアクリル樹脂により形成した。
【００４６】
一般的な真鍮製の万年筆の質量は１５〜３０ｇ程度であり、１５ｇを下回ると発明の効果が不十分となるおそれがあり、３０ｇを上回ると重すぎることによる違和感を与えるおそれがある為、調整後の全体質量は１５ｇ〜３０ｇの範囲内とすることが望ましく、特に２０ｇ〜２５ｇとすることが望ましい。本実施の形態においては、質量調整部６２を１０ｇとして形成し、その他の部分を１５ｇとして形成し、製品の総質量を２５ｇとして形成した。
【００４７】
本実施の形態にかかる万年筆によれば、アクリル樹脂製でありながらも、真鍮製の万年筆と同程度の質量であるので、製品の粗末な印象を緩和ないし解消することができる。
【００４８】
なお本発明にかかる合成樹脂製品は、上記の実施形態に何ら限定されるものではなく、本発明の趣旨を逸脱しない限りにおいて、適宜変更することができる。
【符号の説明】
【００４９】
１１  本体部分
１２  載置部
１３  重り部材
２１  本体部分
２３  円錐台形の重り部材
３１  本体部分
３３  星形の重り部材
４１  本体部分
４２  高台
４３  略輪状の重り部材
５３  質量調整部分
６３  質量調整部分
【図１】
2015043944.tif 000003
【図２】
2015043944.tif 000004
【図３】
2015043944.tif 000005
【図４】
2015043944.tif 000006
【図５】
2015043944.tif 000007
【図６】
2015043944.tif 000008